(57)【特許請求の範囲】
【請求項１】
音声と画像との少なくとも一方を含むコンテンツデータを再生する再生装置と、前記再生装置に接続され、その再生装置が再生するコンテンツデータをユーザに出力するデバイスとを備えたコンテンツデータ再生システムであって、
前記デバイスは、画像を表示する表示部と、前記表示部を前記ユーザの頭部に装着可能な装着部と、前記表示部を前記ユーザの眼前に配置する第一の形態および前記表示部を前記ユーザの眼前から退避する第二の形態に対応可能な可動部とを備え、
前記再生装置は、
音声と画像との少なくとも一方を含む前記コンテンツデータを格納する格納手段と、
前記コンテンツデータを前記デバイスに出力する出力手段と、
ユーザによる前記再生装置に対する指示として、前記格納手段に格納した前記コンテンツデータのうち、前記出力手段により出力する前記コンテンツデータを選択する前記ユーザの指示を受け付ける受付手段と、
前記受付手段により受け付けた前記ユーザの指示に応じて実行すべき前記コンテンツデータ再生システムの動作に、前記再生装置に接続された前記デバイスが対応可能であるかを判定し、前記判定に応じて、前記再生装置と前記再生装置に接続された前記デバイスとの少なくとも一方を制御する処理手段とを有し、
前記処理手段は、前記ユーザにより選択された前記コンテンツデータが該当する種類に応じて、前記再生装置と前記再生装置に接続された前記デバイスとの少なくとも一方を制御するとともに、前記ユーザにより選択された前記コンテンツデータの種類に応じて、前記第一の形態又は前記第二の形態を選択して前記可動部を駆動する
ことを特徴とするコンテンツデータ再生システム。
【請求項２】
請求項１に記載のコンテンツデータ再生システムにおいて、
前記再生装置は、前記ユーザにより選択された前記コンテンツデータの種類に応じて、前記第一の形態又は前記第二の形態を選択し、選択した形態に前記可動部を駆動するよう前記ユーザに促す報知部を備える
ことを特徴とするコンテンツデータ再生システム。
【請求項３】
請求項１又は請求項２に記載のコンテンツデータ再生システムにおいて、
前記処理手段は、前記ユーザにより選択された前記コンテンツデータの種類に応じて、前記再生装置に接続された前記デバイスの前記表示部への電源供給を制御する
ことを特徴とするコンテンツデータ再生システム。
【請求項４】
請求項１又は請求項２に記載のコンテンツデータ再生システムにおいて、
前記処理手段は、前記ユーザにより選択された前記コンテンツデータの該当する種類に応じて、前記再生装置の前記出力手段への電源供給を制御する
ことを特徴とするコンテンツデータ再生システム。
【請求項５】
請求項１に記載のコンテンツデータ再生システムにおいて、
前記処理手段は、前記受付手段により受け付けた前記ユーザの指示と、前記装着部以外の前記再生装置に接続されたデバイスの種類との少なくとも一方に応じて、前記表示部による前記画像の表示の駆動又は停止を制御する
ことを特徴とするコンテンツデータ再生システム。
【請求項６】
請求項１に記載のコンテンツデータ再生システムにおいて、
前記処理手段は、前記受付手段により画像を含む前記コンテンツデータを前記格納手段に記録する前記ユーザの指示を受け付けた場合に、前記表示部による前記画像の表示を停止する
ことを特徴とするコンテンツデータ再生システム。
【請求項７】
請求項１に記載のコンテンツデータ再生システムにおいて、
前記処理手段は、前記受付手段により受け付けた前記ユーザの指示と、前記再生装置に接続された前記デバイスの種類との少なくとも一方に応じて、前記出力手段による動作の駆動又は停止を制御する
ことを特徴とするコンテンツデータ再生システム。
【請求項８】
請求項７に記載のコンテンツデータ再生システムにおいて、
前記処理手段は、前記受付手段により画像を含む前記コンテンツデータを前記格納手段に記録する前記ユーザの指示を受け付けた場合に、前記出力手段の動作を停止する
ことを特徴とするコンテンツデータ再生システム。
【請求項９】
請求項１に記載のコンテンツデータ再生システムにおいて、
前記処理手段は、前記表示部の使用の有無の状態を判定し、前記表示部の使用がなされていない場合は、画像を含む前記コンテンツデータを前記格納手段に記録するモードへ移行するように前記再生装置を制御する
ことを特徴とするコンテンツデータ再生システム。
【請求項１０】
請求項１に記載のコンテンツデータ再生システムにおいて、
前記デバイスは、音声を出力する音声出力部を備え、
前記処理手段は、前記音声出力部の使用の有無の状態を判定し、前記音声出力部の使用がなされていない場合は、音声を含む前記コンテンツデータを前記格納手段に記録するモードへ移行するように前記再生装置を制御する
ことを特徴とするコンテンツデータ再生システム。
【請求項１１】
請求項１に記載のコンテンツデータ再生システムにおいて、
前記出力手段は、前記受付手段により種類の異なる前記コンテンツデータを選択する前記ユーザの指示を受け付けた場合には、前記報知用コンテンツデータを再生して、前記再生装置に接続されている前記デバイスに出力する
ことを特徴とするコンテンツデータ再生システム。
【請求項１２】
請求項１から請求項１１のいずれか一項に記載のコンテンツデータ再生システムにおいて、
前記出力手段は、前記コンテンツデータとして動画コンテンツデータ又は音声コンテンツデータを出力する際に、前記受付手段により前記コンテンツデータの再生を停止する前記ユーザの指示を受け付けた場合には、前記ユーザの指示を受け付けた際の停止位置を記憶し、前記受付手段により再度同じ前記コンテンツデータを再生する前記ユーザの指示を受け付けた場合には、前記停止位置よりも所定時間遡って、前記コンテンツデータの再生を開始する
ことを特徴とするコンテンツデータ再生システム。
【請求項１３】
請求項１２に記載のコンテンツデータ再生システムにおいて、
前記処理手段は、前記コンテンツデータとして動画コンテンツデータを出力する際に、前記受付手段により前記動画コンテンツデータの再生を停止する前記ユーザの指示を受け付けた場合には、前記ユーザの指示を受け付けた際の停止位置を記憶し、前記受付手段により再度同じ前記動画コンテンツデータを再生する前記ユーザの指示を受け付けた場合には、前記動画コンテンツデータを停止する前記ユーザの指示を受け付けた時刻から再度同じ前記動画コンテンツデータを再生する前記ユーザの指示を受け付けた時刻までの経過時間に応じた所定時間、前記停止位置よりも遡って、前記動画コンテンツデータの再生を開始する
ことを特徴とするコンテンツデータ再生システム。
【請求項１４】
請求項１に記載のコンテンツデータ再生システムにおいて、
前記再生装置へコンテンツデータを送出し、前記再生装置と通信可能な外部装置を有し、
前記再生装置は、前記外部装置の種類を検出する検出手段を備え、
前記受付手段は、前記外部装置への指示を入力可能であり、
前記処理手段は、前記受付手段により受け付けた前記指示に応じて、前記デバイスとともに、さらに前記外部装置を制御する
ことを特徴とするコンテンツデータ再生システム。
【請求項１５】
請求項１ないし請求項１４のいずれか一項に記載のコンテンツデータ再生システムの前記処理手段による制御を、汎用コンピュータに行なわせるためのプログラム。
【請求項１６】
音声と画像との少なくとも一方を含むコンテンツデータを再生するとともに、デバイスと接続可能な再生装置であって、
前記デバイスは、接続された前記再生装置が再生するコンテンツデータをユーザに出力するとともに、画像を表示する表示部と、前記表示部を前記ユーザの頭部に装着可能な装着部と、前記表示部を前記ユーザの眼前に配置する第一の形態および前記表示部を前記ユーザの眼前から退避する第二の形態に対応可能な可動部とを備え、
前記再生装置は、
前記デバイスと接続する接続手段と、
音声と画像との少なくとも一方を含む前記コンテンツデータを格納する格納手段と、
前記コンテンツデータを前記デバイスに出力する出力手段と、
ユーザによる前記再生装置に対する指示として、前記格納手段に格納した前記コンテンツデータのうち、前記出力手段により出力する前記コンテンツデータを選択する前記ユーザの指示を受け付ける受付手段と、
前記受付手段により受け付けた前記ユーザの指示に応じて実行すべき前記コンテンツデータ再生システムの動作に、前記再生装置に接続された前記デバイスが対応可能であるかを判定し、前記判定に応じて、前記再生装置と前記再生装置に接続された前記デバイスとの少なくとも一方を制御する処理手段とを有し、
前記処理手段は、前記ユーザにより選択された前記コンテンツデータが該当する種類に応じて、前記再生装置と前記再生装置に接続された前記デバイスとの少なくとも一方を制御するとともに、前記ユーザにより選択された前記コンテンツデータの種類に応じて、前記第一の形態又は前記第二の形態を選択して前記可動部を駆動する
ことを特徴とする再生装置。
【発明の詳細な説明】
【技術分野】
【０００１】
本発明は、ヘッドマウントディスプレイその他の着脱可能なデバイスを介して所望のコンテンツを再生する再生装置と、そのデバイスとを具備するコンテンツデータ再生システム、そのコンテンツデータ再生システムを実現するプログラムに関する。
【背景技術】
【０００２】
最新の電子技術が適用された携帯型メディアプレーヤは、低廉化および小型化に併せて、低消費電力を実現可能であるとの理由で広く普及しつつある。近年のメディアプレーヤには、情報量の多い画像情報を記憶可能な小型の記憶媒体と、圧縮符号化技術とが組み合わせられている。これによって、多様なコンテンツの再生が可能となる。
また、メディアプレーヤに接続可能なデバイスとしては、ユーザのニーズに柔軟に対応するため、ヘッドホンやイヤホンだけでなく、ニアアイディスプレイ装置等のようなヘッドマウントディスプレイ（以下、「ＨＭＤ」という。）も開発されている。ＨＭＤは、ユーザの頭部に着脱可能なデバイスであり、ユーザの眼前より網膜に映像を投影することができる。ユーザは、メディアプレーヤにＨＭＤを接続し、そのＨＭＤを頭部へ装着し、さらにメディアプレーヤの操作部を操作することで、映画や音楽クリップのような画像を含むコンテンツを鑑賞することができる。
【特許文献１】特開平１０−１３３８４０号公報
【発明の開示】
【発明が解決しようとする課題】
【０００３】
ところで、この操作は、ＨＭＤやコンテンツの組み合わせに応じて行われる必要がある。しかし、メディアプレーヤは多くの機能を有し、また、そのメディアプレーヤ内の記憶媒体には多数の様々なコンテンツデータが予め格納されるので、上述した操作は煩雑となり、必ずしも適切には行われなかった。
本発明は、再生装置とこの再生装置に接続されたデバイスとの整合が柔軟に、かつ効率的に図られるコンテンツデータ再生システムおよびプログラムを提供することを目的とする。
【課題を解決するための手段】
【０００４】
本発明にかかわるコンテンツデータ再生システムは、音声と画像との少なくとも一方を含むコンテンツデータを再生する再生装置と、前記再生装置に接続され、その再生装置が再生するコンテンツデータをユーザに出力するデバイスとを備えたコンテンツデータ再生システムであって、前記再生装置は、ユーザによる前記再生装置に対する指示を受け付ける受付手段と、前記受付手段により受け付けた前記ユーザの指示に応じて実行すべき前記コンテンツデータ再生システムの動作に、前記再生装置に接続された前記デバイスが対応可能であるかを判定する処理手段とを有する。【０００５】
なお、好ましくは、前記処理手段は、前記判定に応じて、前記再生装置と前記再生装置に接続された前記デバイスとの少なくとも一方を制御しても良い。
また、好ましくは、前記再生装置は、音声と画像との少なくとも一方を含む前記コンテンツデータを格納する格納手段と、前記コンテンツデータを前記デバイスに出力する出力手段とを更に備え、前記受付手段は、前記格納手段に格納した前記コンテンツデータのうち、前記出力手段により出力する前記コンテンツデータを選択する前記ユーザの指示を受け付け、前記処理手段は、前記ユーザにより選択された前記コンテンツデータが該当する種類に応じて、前記再生装置と前記再生装置に接続された前記デバイスとの少なくとも一方を制御しても良い。【０００６】
また、好ましくは、前記デバイスは、画像を表示する表示部と、前記表示部を前記ユーザの頭部に装着可能な装着部と、前記表示部を前記ユーザの眼前に配置する第一の形態および前記表示部を前記ユーザの眼前から退避する第二の形態に対応可能な可動部とを備え、前記処理手段は、前記ユーザにより選択された前記コンテンツデータの種類に応じて、前記第一の形態又は前記第二の形態を選択して前記可動部を駆動しても良い。【０００７】
また、好ましくは、前記デバイスは、画像を表示する表示部と、前記表示部を前記ユーザの頭部に装着可能な装着部と、前記表示部を前記ユーザの眼前に配置する第一の形態および前記表示部を前記ユーザの眼前から退避する第二の形態に対応可能な可動部とを備え、前記再生装置は、前記ユーザにより選択された前記コンテンツデータの種類に応じて、前記第一の形態又は前記第二の形態を選択し、選択した形態に前記可動部を駆動するよう前記ユーザに促す報知部を備えても良い。【０００８】
また、好ましくは、前記処理手段は、前記ユーザにより選択された前記コンテンツデータの種類に応じて、前記再生装置に接続された前記デバイスの前記表示部への電源供給を制御しても良い。
また、好ましくは、前記処理手段は、前記ユーザにより選択された前記コンテンツデータの該当する種類に応じて、前記再生装置の前記出力手段への電源供給を制御しても良い。【０００９】
また、好ましくは、前記デバイスは、画像を表示する表示部と、前記表示部を前記ユーザの頭部に装着可能な装着部とを備え、
前記処理手段は、前記受付手段により受け付けた前記ユーザの指示と、前記装着部以外の前記再生装置に接続されたデバイスの種類との少なくとも一方に応じて、前記表示部による前記画像の表示の駆動又は停止を制御しても良い。【００１０】
また、好ましくは、前記再生装置は、音声と画像との少なくとも一方を含む前記コンテンツデータを格納する格納手段を更に備え、前記処理手段は、前記受付手段により画像を含む前記コンテンツデータを前記格納手段に記録する前記ユーザの指示を受け付けた場合に、前記表示部による前記画像の表示を停止しても良い。
また、好ましくは、前記再生装置は、前記コンテンツデータの再生信号を前記デバイスに出力する出力手段を更に備え、前記処理手段は、前記受付手段により受け付けた前記ユーザの指示と、前記再生装置に接続された前記デバイスの種類との少なくとも一方に応じて、前記出力手段による動作の駆動又は停止を制御しても良い。【００１１】
また、好ましくは、前記再生装置は、音声と画像との少なくとも一方を含む前記コンテンツデータを格納する格納手段を更に備え、前記処理手段は、前記受付手段により画像を含む前記コンテンツデータを前記格納手段に記録する前記ユーザの指示を受け付けた場合に、前記出力手段の動作を停止しても良い。
また、好ましくは、前記再生装置は、音声と画像との少なくとも一方を含む前記コンテンツデータを格納する格納手段を更に備え、前記デバイスは、画像を表示する表示部と、前記表示部を前記ユーザの頭部に装着可能な装着部とを備え、前記処理手段は、前記表示部の使用の有無の状態を判定し、前記表示部の使用がなされていない場合は、画像を含む前記コンテンツデータを前記格納手段に記録するモードへ移行するように前記再生装置を制御しても良い。【００１２】
また、好ましくは、前記再生装置は、音声と画像との少なくとも一方を含む前記コンテンツデータを格納する格納手段を更に備え、前記デバイスは、音声を出力する音声出力部と、前記音声出力部を前記ユーザの頭部に装着可能な装着部とを備え、前記処理手段は、前記音声出力部の使用の有無の状態を判定し、前記音声出力部の使用がなされていない場合は、音声を含む前記コンテンツデータを前記格納手段に記録するモードへ移行するように前記再生装置を制御しても良い。【００１３】
また、好ましくは、前記再生装置は、前記ユーザに対する報知を行なうための音声と画像との少なくとも一方を含む報知用コンテンツデータを格納する格納手段を更に備え、前記出力手段は、前記受付手段により種類の異なる前記コンテンツデータを選択する前記ユーザの指示を受け付けた場合には、前記報知用コンテンツデータを再生して、前記再生装置に接続されている前記デバイスに出力しても良い。【００１４】
また、好ましくは、前記再生装置は、音声と画像との少なくとも一方を含む前記コンテンツデータを格納する格納手段と、前記コンテンツデータを前記デバイスに出力する出力手段とを更に備え、前記出力手段は、前記コンテンツデータとして動画コンテンツデータ又は音声コンテンツデータを出力する際に、前記受付手段により前記コンテンツデータの再生を停止する前記ユーザの指示を受け付けた場合には、前記ユーザの指示を受け付けた際の停止位置を記憶し、前記受付手段により再度同じ前記コンテンツデータを再生する前記ユーザの指示を受け付けた場合には、前記停止位置よりも所定時間遡って、前記コンテンツデータの再生を開始しても良い。【００１５】
また、好ましくは、前記処理手段は、前記コンテンツデータとして動画コンテンツデータを出力する際に、前記受付手段により前記動画コンテンツデータの再生を停止する前記ユーザの指示を受け付けた場合には、前記ユーザの指示を受け付けた際の停止位置を記憶し、前記受付手段により再度同じ前記動画コンテンツデータを再生する前記ユーザの指示を受け付けた場合には、前記動画コンテンツデータを停止する前記ユーザの指示を受け付けた時刻から再度同じ前記動画コンテンツデータを再生する前記ユーザの指示を受け付けた時刻までの経過時間に応じた所定時間、前記停止位置よりも遡って、前記動画コンテンツデータの再生を開始しても良い。【００１６】
また、好ましくは、前記再生装置へコンテンツデータを送出し、前記再生装置と通信可能な外部装置を有し、前記再生装置は、前記外部装置の種類を検出する検出手段を備え、前記受付手段は、前記外部装置への指示を入力可能であり、前記処理手段は、前記受付手段により受け付けた前記指示に応じて、前記デバイスとともに、さらに前記外部装置を制御しても良い。【００１７】
また、本発明にかかわるプログラムは、上述した各コンテンツコンテンツデータ再生システムの制御を汎用コンピュータに行わせる。
【発明の効果】
【００１８】
本発明が適用された装置やシステムでは、操作の大幅な簡略化が図られ、ユーザの利便性が高められる。
【図面の簡単な説明】
【００１９】
【図１】本発明の第一の実施形態の電気的構成を示す図である。
【図２】コンテンツデータ再生システムの全体構成図およびＨＭＤ３０を構成する収納ケース６５の一部断面図である。
【図３】本発明の第一の実施形態における第一のフローチャートである。
【図４】本発明の第一の実施形態における第二のフローチャートである。
【図５】本発明の第一の実施形態における第三のフローチャートである。
【発明を実施するための最良の形態】
【００２０】
［第一の実施形態］
以下、図面に基づいて本発明の実施形態について詳細に説明する。先ず、電気的構成を説明する。
図１は、本発明の第一の実施形態の電気的構成を示す図である。図１に示すとおり、コンテンツデータ再生システムには、ターミナル１０、ＨＭＤ３０、クレードル４０などが備えられる。このうち、ターミナル１０は、既述のメディアプレーヤに該当する。なお、ＨＭＤ３０の代わりに、他のデバイスが使用されることもあるが、ここでは、ＨＭＤ３０を主として説明する。【００２１】
ターミナル１０には、接栓座１０Ｊと接栓１０Ｐとが設けられ、ＨＭＤ３０には接栓３１Ｐが設けられ、クレードル４０には接栓座４１Ｊが設けられる。ターミナル１０とＨＭＤ３０とは、接栓座１０Ｊおよび接栓３１Ｐを介して接続される。また、ターミナル１０とクレードル４０とは、接栓１０Ｐおよび接栓座４１Ｊを介して接続される。
先ず、ターミナル１０の電気的構成および各部の接続関係を説明する。【００２２】
ターミナル１０の接栓座１０Ｊのピンは、Ｐグループ、ＳグループおよびＣグループのピンから構成される。Ｐグループのピンは、ＨＭＤ３０に出力される画像信号の引き渡しに用いられ、Ｓグループのピンは、ＨＭＤ３０に出力される音声信号の引き渡しに用いられ、Ｃグループのピンは、ＨＭＤ３０が出力する制御情報の引き渡しに用いられる。なお、これらのグループの識別子「Ｐ」、「Ｓ」、「Ｃ」は、それぞれ"Picture"，"Sound"，"Control" の頭文字である。【００２３】
また、ターミナル１０の接栓１０Ｐのピンは、Ｐｉグループ、Ｓｉグループ、ＣioグループおよびＰＳｉグループのピンから構成される。Ｐｉグループのピンは、録画や再生の対象となるコンテンツに含まれる画像信号の引き渡しに用いられ、Ｓｉグループのピンは、同様のコンテンツに含まれる音声信号の引き渡しに用いられ、Ｃioグループのピンは、ターミナル１０の動作の設定や監視にかかわる制御信号の引き渡しに用いられ、ＰＳｉグループのピンは、上述した電源回路１７に供給される電力の引き渡しに用いられる。なお、これらのグループの識別子「Ｐｉ」、「Ｓｉ」、「Ｃio」、「ＰＳｉ」は、それぞれ"Picture"，"Sound"，"Control"，"Power Supply" の頭文字に該当する大文字と、ターミナル１０を基準とする上記の引き渡しの方向を示す"input"，"output"，"input/output"を意味する小文字とから構成される。【００２４】
接栓座１０Ｊのピンのうち、Ｃグループのピンは接続検出部１１の入力に接続され、その接続検出部１１の出力は制御部１２の第一の入力ポートに接続される。制御部１２の第二の入力ポートには操作部１３の出力が接続され、その制御部１２の第一の出力ポートは信号処理部１４の第一の入力ポートに接続される。これらの制御部１２および信号処理部１４のバス端子は、記憶部１５の対応するポートに接続される。なお、記憶部１５は、例えば、所定の領域管理の下でアクセスされるハードディスク装置やＩＣメモリとして構成される。信号処理部１４の第一の出力ポートは、表示部１６の第一の入力ポートに接続される。表示部１６の第二の入力ポートには制御部１２の第二の出力ポートが接続され、その制御部１２の第三の出力ポートは電源回路１７の制御端子に接続される。【００２５】
また、接栓１０Ｐのピンのうち、Ｐｉグループのピンはビデオ入力処理部１８の入力に接続され、Ｓｉグループのピンは、音声入力処理部１９の入力に接続される。これらのビデオ入力処理部１８および音声入力処理部１９の出力は、信号処理部１４の第二および第三の入力ポートにそれぞれ接続される。信号処理部１４の第二の出力ポートは、ビデオ出力処理部２０を介して接栓座１０ＪのＰグループのピンに接続される。信号処理部１４の第三の出力ポートは、音声出力処理部２１を介して接栓座１０ＪのＳグループのピンに接続される。接栓１０ＰのＣioグループのピンは制御部１２の入出力ポートと接続検出部１１とに接続され、その接栓１０ＰのＰＳｉグループのピンは電源回路１７の入力に接続される。【００２６】
次に、ＨＭＤ３０の電気的構成および各部の接続関係を説明する。
ＨＭＤ３０には、前述したとおり、ターミナル１０との電気的な接続を実現する接栓３１Ｐの他に、表示器３２、ヘッドホン３３Ｌ、３３Ｒ、操作部３４、およびＨＭＤを制御するＨＭＤ制御部３５等が備えられる。
表示器３２およびヘッドホン３３Ｌ、３３Ｒは、接栓３１Ｐのピンのうち、既述のＰグループおよびＳグループに対応するピンにそれぞれ接続される。ＨＭＤ制御部３５は、接栓３１Ｐおよびターミナル１０の接栓座１０Ｊの対応するピンを介して、ターミナル１０の制御部１２の特定の入出力ポートに接続される。このＨＭＤ制御部３５は、ＨＭＤ３０の各機能を制御する他に、ＨＭＤ３０が音声出力可能であるか否かや映像表示可能であるか否かを制御部１２に出力する。操作部３４の出力は、接栓３１Ｐのピンのうち、既述のＣグループに対応するピンの一部に接続される。【００２７】
そのＣグループの残りピン（以下、「サブＣグループのピン」という。）は、図１の右上部に拡大されて示されるように、ＨＭＤ３０の構成（種別も含む）や特性に対応した組み合わせに応じて予め接地される。なお、これらのサブＣグループのピンは、上記の接地の基準となるアース端子ＧＮＤに併せて、例えば、ターミナル１０に対する二値情報の引き渡しのために用いられる。この二値情報により、ターミナル１０は、ターミナル１０の接栓座１０Ｊに接続されたデバイス（以下、「被接続デバイス」という。）の構成を接続検出部１１が識別することが可能になる。他のデバイスとの区別のため、前記二値情報は、例えば、以下の各二値情報の何れか１つか２つの情報が出力される。
（ａ）被接続デバイスが、画像の再生信号の出力が可能で、音声出力を持たないデバイスｈｍｄ（以下、「ヘッドマウントディスプレイ」という。）であるか否かを示す第一の二値情報。
（ｂ）被接続デバイスが、画像の再生信号と音声の再生信号との双方の出力が可能なデバイスｈｍｄ・ｈｐ（以下、「ヘッドマウントディスプレイ・ヘッドホン」という。）であるか否かを示す第二の二値情報。
（ｃ）被接続デバイスが、音声の再生信号のみの出力が可能なデバイスｈｐ（以下、「ヘッドホン」という。）であるか否かを示す第三の二値情報。
（ｄ）被接続デバイスが、既述の操作部３４に相当する操作部ｏｐを含んでいるか否かを示す第四の二値情報。【００２８】
因みに、ＨＭＤ３０は、ヘッドホンと表示器との双方を含むので、ヘッドマウントディスプレイ・ヘッドホン（ｂ）である。
なお、本実施形態のターミナル１０には、１つの被接続デバイス（図１ではＨＭＤ３０）が直接接続されているが、このような被接続デバイス（図１ではＨＭＤ３０）は、例えば、図１のほぼ右中央部に二点鎖線の枠で示されるリモコン５０を介して接続されても良い。また、ターミナル１０には、複数の被接続デバイスが直列に接続されても良い。また、これらの複数の被接続デバイスは、１つ又は複数の接栓座（ターミナル１０に接栓座１０Ｊと共に備えられる）を介して並列に接続されても良い。【００２９】
また、上述したリモコン５０は、被接続デバイス（図１ではＨＭＤ３０）の操作部に相当する操作部５２と、ターミナル１０の接栓座１０Ｊに適合した接栓５１Ｐと、被接続デバイス（図１ではＨＭＤ３０）の接栓３１Ｐその他の被接続デバイスとの接続に適した接栓座５１Ｊとを備える。操作部５２、接栓５１Ｐ、接栓座５１Ｊは、３者間の中継を実現する布線を介して接続される。また、操作部５２の信号は上述したＣグループのピンを通じて制御部１２に入力される。また、このようなリモコン５０には、ターミナル１０の表示部１６に相当する表示器が併せて備えられても良い。【００３０】
次に、クレードル４０の電気的構成および各部の接続関係を説明する。
クレードル４０の接栓座４１Ｊは、ターミナル１０の接栓１０Ｐを介してターミナル１０との電気的な接続を実現する。その接栓座４１Ｊのピンのうち、既述のＰｉグループ、Ｓｉグループ、ＣioグループおよびＰＳｉグループに対応するピンには、ビデオ入力端子４２、音声入力端子４３、制御入出力端子４４および電源入力端子４５がそれぞれ接続される。これらの端子を介してクレードル４０は情報端末（コンピュータなど）に接続可能である。また、クレードル４０は、制御部４６を備え、制御部４６は、クレードル４０の接栓座４１Ｊに接栓が接続されると、Ｃioグループに対応するピンに所定の信号または電圧を出力する。【００３１】
次に、本実施形態の電気的構成要素の基本的な動作を説明する。ここでは、ターミナル１０の被接続デバイスがＨＭＤ３０である場合について説明する。
ターミナル１０に備えられた電源回路１７は、図示されないバッテリを有し、クレードル４０から供給される電力を、そのバッテリに蓄積する。このとき電力は、クレードル４０に備えられた電源入力端子４５、クレードル４０の接栓座４１Ｊ、ターミナル１０の接栓１０Ｐを順に介して電源回路１７へと供給される。さらに、電源回路１７は、このようにしてバッテリに蓄積された電力を、ターミナル１０の各部に駆動電力として供給し、かつＨＭＤ３０にも駆動電力を供給する。このうち、ＨＭＤ３０への駆動電力は、ターミナル１０の接栓座１０Ｊの所定のピンと、ＨＭＤ３０の接栓３１Ｐの所定のピンとを介して供給される。【００３２】
クレードル４０のビデオ入力端子４２には、情報端末から画像信号が入力される。この画像信号は、クレードル４０の接栓座４１Ｊおよびターミナル１０の接栓１０Ｐを介してターミナル１０のビデオ入力処理部１８へ入力される。ビデオ入力処理部１８は、その画像信号にＡ／Ｄ変換その他の処理を施すことによってディジタル画像情報を生成し、そのディジタル画像情報を信号処理部１４に与える。【００３３】
クレードル４０の音声入力端子４３には、情報端末から音声信号が入力される。この音声信号は、クレードル４０の接栓座４１Ｊおよびターミナル１０の接栓１０Ｐを介してターミナル１０の音声入力処理部１９へ入力される。音声入力処理部１９は、その音声信号にＡ／Ｄ変換その他の処理を施すことによってディジタル音声情報を生成し、そのディジタル音声情報を信号処理部１４に与える。【００３４】
ターミナル１０の制御部１２は、下記の指示やターミナル１０に接続されている機器の状態に応じて、所定の処理を行い、かつ必要に応じて信号処理部１４に信号処理を指定する。
（ａ）ターミナル１０の操作部１３を介してユーザが与える指示。
（ｂ）クレードル４０の制御入出力端子４４を介して情報端末（パーソナルコンピュータその他）から与えられる指示。
（ｃ）ＨＭＤ３０の操作部３４がユーザによって操作されたときにＨＭＤ３０から引き渡される指示。【００３５】
なお、情報（ｃ）は、接栓３１Ｐ、接栓座１０Ｊおよび接続検出部１１を介して制御部１２へと引き渡される。
このようにして得られた指示やターミナル１０に接続された機器の状態に関する情報に基づいて制御部１２は信号処理部１４などの各部を制御する。
一方、信号処理部１４は、制御部１２からの制御を受け、例えば、上記の画像情報と音声情報との双方又は何れか一方（以下、単に「ディジタルコンテンツデータ」という。）がクレードル４０を介して入力された場合、データファイルとして記憶部１５に蓄積する。【００３６】
ここで、ディジタルコンテンツデータの種類には、例えば、音声情報と画像情報（動画像情報）とを含む音声付き映像コンテンツデータと、音声情報のみを含む音声コンテンツデータと、画像情報（静止画像情報）のみを含む画像コンテンツデータとなどがあるが、ここでは、記憶部１５に蓄積されたディジタルコンテンツデータが、音声付き映像コンテンツデータであった場合の処理を説明する。【００３７】
ところで、ディジタルコンテンツデータを再生する場合、上記（ａ）〜（ｃ）の何れかの指示を制御部１２が検出する。また、制御部１２は、接続された機器の状態を検出した上で、ある特定の条件下で次のように信号処理部１４を制御する。
信号処理部１４は、その記憶部１５に既に蓄積されている所望のディジタルコンテンツデータ（ここでは音声付き映像コンテンツ）を読み出すと、そのディジタルコンテンツデータに含まれる画像情報をビデオ出力処理部２０に引き渡し、そのディジタルコンテンツデータに含まれる音声情報を音声出力処理部２１に引き渡す。なお、記憶部１５に対する書き込みおよび読み出しの対象となる記憶領域は、信号処理部１４又は制御部１２が行う領域管理の下で定まる。【００３８】
ビデオ出力処理部２０は、上述した画像情報にＤ／Ａ変換その他の処理を施すことによって再生信号（画像のアナログ信号）を生成し、かつＨＭＤ３０に対し、このような再生信号を引き渡す。また、音声出力処理部２１は、上述した音声情報にＤ／Ａ変換その他の処理を施すことによって音声の再生信号（音声のアナログ信号）を生成し、かつＨＭＤ３０に対し、このような再生信号を引き渡す。これらの画像および音声のアナログ信号の引き渡しは、ターミナル１０の接栓座１０ＪおよびＨＭＤ３０の接栓３１Ｐを介して行われる。【００３９】
ＨＭＤ３０では、表示器３２やヘッドホン３３Ｌ、３３Ｒを介してユーザに感知可能となるように、ターミナル１０から出力された再生信号を出力する。このとき、ターミナル１０から引き渡された音声の再生信号は、ヘッドホン３３Ｌ，３３Ｒへ与えられ、ターミナル１０から引き渡された画像の再生信号は、表示器３２へ与えられる。
また、ＨＭＤ３０のＨＭＤ制御部３５は、ヘッドホン３３Ｌ、３３Ｒの出力を制御する図示されていないボリュームを制御している。このボリュームの制御は、ＨＭＤ３０の操作部３４の操作内容に応じて行われる。したがって、ユーザは、ＨＭＤ３０の操作部３４を適切に操作することにより、ヘッドホン３３Ｌ，３３Ｒから発せられる音声の音量を変更することが可能である。【００４０】
また、ターミナル１０の信号処理部１４は、ターミナル１０の表示部１６と、ＨＭＤ３０の表示器３２との双方又は何れか一方に、例えば以下の情報を画像として出力することもできる。
（ａ）記憶部１５に蓄積されたディジタルコンテンツデータのコンテンツ情報。
（ｂ）ユーザへ通知されるべきメッセージ。【００４１】
なお、メッセージ（ｂ）は、ターミナル１０の操作部１３の操作内容や、ＨＭＤ３０の操作部３４の操作内容や、ＨＭＤ３０の表示器３２の移動の要求などの「本システムの操作」に応じてユーザに通知されるものである。これらのメッセージデータも記憶部１５に記憶されている。
次に、本実施形態の機械的構成を説明する。ここでも、ターミナル１０の被接続デバイスがＨＭＤ３０である場合について説明する。【００４２】
図２（ａ）はコンテンツデータ再生システムの全体構成図であり、図２（ｂ）はＨＭＤ３０を構成する収納ケース６５の一部断面図である。
図２（ａ）に示すとおり、ＨＭＤ３０において、ヘッドホン３３Ｌ、３３Ｒはヘッドホンアーム６１の両端に取り付けられる。ヘッドホンアーム６１は、弧状に成形された部材からなる。表示器３２は、ディスプレイアーム６４の一端に取り付けられる。ディスプレイアーム６４は、所定の曲率で成形されてなる。そのディスプレイアーム６４の他端は、収納ケース６５によって保持される。この収納ケース６５は、図２（ｂ）に示すとおり、ディスプレイアーム６４が収納可能な中空部６５Ｓと、その中空部６５Ｓに配置された複数の軸受からなる案内部材６５Ｇとを有する。さらに、図２（ａ）に示すとおり、収納ケース６５の側壁には、ヘッドホン３３Ｌに係合可能であってケーブル接続部６３を兼ねる支持部材６５Ａが備えられる。また、支持部材６５Ａと収納ケース６５との間には、ディスプレイアーム６４を矢印方向に回動可能な関節機構が備えられている。なお、このケーブル接続部６３は、既述の接栓３１Ｐ（図２では不図示）、ケーブル６２、接栓座１０Ｊ（図２では不図示）を介してターミナル１０に接続される。これによって、ＨＭＤ３０の表示器３２は、ターミナル１０（ターミナル１０のビデオ出力処理部２０の出力）に接続されることになる。その接続は、ディスプレイアーム６４の内部および収納ケース６５の中空部６５Ｓを介してケーブル接続部６３の内部に至る布線と、ケーブル６２の芯線のうち、既述のＰグループのピンに割り付けられた芯線とが、ケーブル接続部６３の内部で結合することによって図られる。【００４３】
また、ＨＭＤ３０のＨＭＤ制御部３５（図２では不図示）は、例えば、ケーブル接続部６３の内部に配置される。さらに、そのＨＭＤ制御部３５は、案内部材６５Ｇに沿ったディスプレイアーム６４の可動に必要な動力を与えるモータ６５Ｍと、そのディスプレイアーム６４の位置を検出するセンサ（図示されない。）とに、上述した布線を介して接続される。また、支持部材６５Ａと収納ケース６５との間に備えられた関節機構部分にも、不図示のセンサを有し、ＨＭＤ制御部３５に接続されている。【００４４】
そして、ＨＭＤ制御部３５は、センサによりディスプレイアーム６４が収納ケース６５に収納された状態（退避状態）か、又は、ＨＭＤ３０の表示器３２がユーザの眼前にある状態（観察可能状態）かなどを検出し、センサからの結果と制御部１２からの指示に応じて、モータ６５Ｍを制御したり、ＨＭＤ３０の表示器３２を眼前に移動させる様に音声等のメッセージを音声出力処理部に出力したりする。【００４５】
このようなＨＭＤ制御部３５によるディスプレイアーム６４の繰り出しおよび収納のタイミングは、ＨＭＤ３０の操作部３４の操作内容により決定される。したがって、ユーザは、操作部３４を適切に操作することにより、ディスプレイアーム６４の繰り出しおよび収納を所望のタイミングで行うことができる。
次に、図１に基づき本実施形態の特徴動作を説明する。【００４６】
本実施形態の特徴は、ターミナル１０において制御部１２および信号処理部１４が行う下記の処理にある。この処理は、接続検出部１１との連係の下で行われる。
以下、図１を参照して本発明の第一の実施形態の動作を説明する。本実施形態の特徴は、ターミナル１０において制御部１２および信号処理部１４が行う下記の処理にある。この処理は、接続検出部１１との連係の下で行われる。【００４７】
ターミナル１０では、接続検出部１１および制御部１２は、被接続デバイスの構成が下記の何れに該当するかを識別する。
（ａ）操作部を備えないヘッドマウントディスプレイ。
（ｂ）操作部を備えないヘッドマウントディスプレイ・ヘッドホン。
（ｃ）操作部を備えないヘッドホン。
（ｄ）被接続デバイスの接続は無し。
（ａ’）操作部を備えたヘッドマウントディスプレイ。
（ｂ’）操作部を備えたヘッドマウントディスプレイ・ヘッドホン。
（ｃ’）操作部を備えたヘッドホン。【００４８】
因みに、被接続デバイスがＨＭＤ３０であるときには、操作部を備えたヘッドマウントディスプレイ・ヘッドホン（ｂ’）に該当すると識別される。
この識別は、被接続デバイスの上述したサブＣグループに属するピンの状態（又はそのピンの組み合わせ）に基づいて行われる。なお、各種の被接続デバイスは、何れも接栓座１０Ｊに整合する接栓を有し、共通のピン配置に基づいて接続される。また、各種の被接続デバイスにおいて、ピンの接地は、被接続デバイスに設けられた配線パターン等により施される。【００４９】
また、被接続デバイスが操作部を備えているか否かに関しては、既述の第四の二値情報に基づき判別される。また、被接続デバイスの種別に関しては、既述の第一ないし第三の二値情報の論理値に基づいて識別される（二値情報は、被接続デバイスから接栓座１０Ｊおよび接続検出部１１を介して制御部１２へ引き渡される）。
仮に、被接続デバイスに操作部が含まれる場合（（ａ’），（ｂ’），（ｃ’））は、制御部１２は、被接続デバイスの操作部およびターミナル１０の操作部１３の各操作内容に基づいてターミナル１０や被接続デバイスの各部の制御を行う。但し、被接続デバイスがリモコンを介してターミナル１０に接続された場合、制御部１２は、被接続デバイスの操作部、ターミナル１０の操作部１３、リモコンの操作部の各操作内容に基づいてターミナル１０や被接続デバイスの各部の制御を行う。【００５０】
しかし、反対に、被接続デバイスに操作部が含まれない場合（（ａ），（ｂ），（ｃ））には、制御部１２は、ターミナル１０に備えられた操作部１３のみの操作内容に基づいてターミナル１０や被接続デバイスの各部の制御を行う。但し、被接続デバイスがリモコンを介してターミナル１０に接続された場合、制御部は、ターミナル１０の操作部１３、リモコンの操作部の各操作内容に基づいてターミナル１０や被接続デバイスの各部の制御を行う。【００５１】
つまり、ユーザは、被接続デバイスの操作部、リモコンの操作部、ターミナル１０の操作部１３の何れか１つを操作することにより、ターミナル１０に対し指示を与えることができる。
また、制御部１２は、接続検出部１１を介して被接続デバイスから引き渡される既述の第一ないし第三の二値情報の論理値に基づいて、その被接続デバイスの構成（種別）を識別する。さらに、以下では、ＨＭＤ制御部３５は、そのＨＭＤ３０の表示器３２を支持するディスプレイアーム６４が後述する収納ケースにどれくらい収納されているかを検出する。そして、制御部１２は、ＨＭＤ制御部３５からの出力を基に、そのユーザの網膜に対する画像情報の投影が可能な状態であるか否かの判定をする機能を有する。【００５２】
以上説明したＨＭＤ３０およびターミナル１０から構成されるシステムでは、制御部１２は、ユーザが、記億部１５に記憶されたコンテンツデータを選択した際に、次のような制御を行う。
制御部１２は、コンテンツデータの該当する種類に応じて、次のような制御を行う。図３はこのときの制御を示すフローチャートである。【００５３】
［１］選択されたコンテンツデータが映像からなるコンテンツデータである場合
制御部１２は、第１のステップ（Ｓ００１）として、ＨＭＤ制御部３５にＨＭＤ３０の表示器３２が退避状態であるかを問い合わせる。ＨＭＤ制御部３５はディスプレイアーム６４の位置を検出するセンサからディスプレイアーム６４がどの位置にあるかを把握する。そして、ＨＭＤ制御部３５はディスプレイアーム６４の位置に関する情報を制御部１２に送信する。制御部１２は、これを基にＨＭＤ３０の表示器３２が退避状態にあるか、観察可能状態を判定する。【００５４】
次に、第２のステップ（Ｓ００２）として、制御部１２は、第１のステップ（Ｓ００１）において、ＨＭＤ３０の表示器３２が退避状態である場合には、表示器３２を退避状態から観察可能状態になるようにＨＭＤ制御部３５に指示し、ＨＭＤ制御部３５がモータ６５Ｍを制御することで観察可能状態にする。又は、制御部１２は、ユーザに表示部１６又はヘッドホン３３Ｒ、３３Ｌを介して、表示器３２が観察可能状態になるようにＨＭＤ３０を操作するように、メッセージを伝える。このメッセージは、記憶部１５に予め記憶させておき、制御部１２がこのメッセージのデータファイルを自動的に再生することにより実現する。【００５５】
そして、ＨＭＤ制御部３５から観察可能状態になったことが通知されると、第３のステップとして（Ｓ００３）として、制御部１２は、記憶部１５および信号処理部１４を併せて制御し、ユーザが選択したコンテンツデータの再生を開始する。信号処理部１４から出された再生信号がビデオ出力処理部２０を介してＨＭＤ３０の表示器３２に出力される。
このようにメッセージを伝えることにより、ユーザは、映像コンテンツデータが再生されることを予め認識した上でＨＭＤ３０の表示器３２を観察することができる。したがって、ユーザがＨＭＤ３０の表示器３２を観察状態にし忘れたり、誤操作により映像コンテンツデータを含むデータの再生を指示してしまっても、急にＨＭＤ３０の表示器３２に対する映像コンテンツデータの再生が開始されてユーザが驚くといった不具合を回避することができる。【００５６】
また、制御部１２は、上述したＨＭＤ３０の制御の他に、次のような制御も同時に行う。
音声コンテンツデータを含まず映像コンテンツのみを有するデータの再生を指示した場合、制御部１２は、ターミナル１０の操作部１３による音量や音質調整に関する入力を不能状態にする。又は、制御部１２は、ターミナル１０の操作部１３やリモコン５０の操作部５２で受け付けた音量や音質調整に関する指示を受け付けないように制御する。これにより、ユーザが、不用意に音量や音質調整に関する入力を行ってしまっても、次回音声コンテンツデータが再生された際、突然大音量が鳴り出したり、意図せず音が聞こえなくなってしまったり、音質が予期せずおかしなものになってしまうということを防ぐことができる。【００５７】
さらに、制御部１２は電源回路１７を制御して、ターミナル１０の表示部１６の駆動回路への電力供給をＯＦＦにする。これにより電力消費量を低減することが可能となる。また、制御部１２は、音声出力処理部２１にも電力供給をＯＦＦするなどして機能を停止させる。
［２］選択されたコンテンツデータが音声からなるコンテンツデータである場合
制御部１２は、図４に示すフローチャートに基づき制御を実施する。【００５８】
第１のステップでは、制御部１２は、ＨＭＤ制御部３５からの信号に基づき、ＨＭＤ３０の表示器３２が退避状態にあるか、観察可能状態を判定する（Ｓ０１１）。
第２のステップでは、制御部１２は、第１のステップ（Ｓ０１１）において、ＨＭＤ３０の表示器３２が観察可能状態である場合には、表示器３２を観察可能状態から退避状態になるようにＨＭＤ制御部３５に指示する。又は、制御部１２は、ユーザに表示部１６又はヘッドホン３３Ｒ、３３Ｌを介して、表示器３２が退避状態になるようにＨＭＤ３０を操作するように、メッセージを伝える。【００５９】
そして、ＨＭＤ制御部３５から退避状態になったことが通知されると、制御部１２は、記億部１５および信号処理部１４を併せて制御し、音声出力処理部１２を介してヘッドホン３３Ｌ、３３Ｒに音声信号を出力する（Ｓ０１２）。
第３のステップでは、制御部１２は電源回路１７を制御して、ビデオ出力処理部２０やＨＭＤ３０の表示器３２の駆動回路への電力供給をＯＦＦにする。このようにすることで、電力消費量を低減することが可能となる（Ｓ０１３）。なお、この第３のステップは第２のステップと同時に行っても良い。【００６０】
さらに、制御部１２は、操作部１３で画質や明るさに関する入力を不能状態にする。又は、制御部１２は、ターミナル１０の操作部１３やリモコン５０の操作部５２で受け付けた画質や明るさに関する指示を受け付けないように制御する。これにより、不用意に画面が暗くなったり、意図せずコントラストなどの画質が変更されてしまうということを防ぐことができる。【００６１】
なお、ＨＭＤ３０のＨＭＤ制御部３５では、常にディスプレイアーム６４が繰り出されたかをモニタし、何らかの原因により繰り出されたら、音声でユーザに警告音声を発したり、ビデオ出力処理部２０への電力供給を開始し、警告メッセージをＨＭＤ３０の表示器３２に表示するように制御部１２が制御する。
［３］音声および映像の両方が含まれているコンテンツデータの場合
制御部１２は、上述の［１］を実施する。このとき、制御部１２は、音量や音質、明るさや画質に関する指示は入力可能状態にし、音量、音質、画質、明るさ等の音に関する調整や映像に関する調整は実行可能にする。さらに、制御部１２は、ターミナル１０の表示部１６の表示をＯＦＦにする。【００６２】
［４］映像および音声の両方のコンテンツデータが再生されている状態から、音声のみのコンテンツデータにユーザが選択し直した場合
制御部１２は、図５に示すフローチャートに基づき制御を実施する。
映像および音声の両方のコンテンツデータが再生されているときには、ＨＭＤ３０デイスプレイアーム６４の大部分が収納ケース６５から飛び出している（観察可能状態である）。この状態で音声のみのコンテンツデータが選択された場合には、ＨＭＤ３０の表示器３２を観察可能状態から退避状態になるようにＨＭＤ制御部３５に指示する。又は、制御部１２は、ユーザに表示部１６又はヘッドホン３３Ｒ、３３Ｌを介して、表示器３２が退避状態になるようにＨＭＤ３０を操作するように、メッセージを伝えるようにメッセージデータを再生する。このようにメッセージを伝えることにより、ユーザは、映像コンテンツデータの再生が停止されることを予め認識するとともに、ＨＭＤ３０の表示器３２が退避状態になることを予め認識することができる。したがって、ユーザがＨＭＤ３０の表示器３２を退避状態にし忘れたり、急にＨＭＤ３０の表示器３２に対する表示が停止されて、ユーザが故障と誤認するといった不具合を回避することができる。（Ｓ０２１）
第２のステップでは、制御部１２は、この警告メッセージの表示と共に、選択された音声コンテンツデータの再生を実行し、ヘッドホン３３Ｌ、３３Ｒに音声メッセージを供給する（Ｓ０２２）。【００６３】
その後暫く経ってからは、制御部１２は、第３のステップとして、上述の［２］と同様にビデオ出力処理部２０への電源供給をＯＦＦするなどをして、電力消費量の低減を行う（Ｓ０２３）。
なお、警告メッセージ表示の後、暫く経ってから、ＨＭＤ制御部３５が自動的にＨＭＤ３０のモータ６５Ｍを駆動して表示器３２を退避状態にしても良い。【００６４】
［４］で説明した各手順は、映像のみのコンテンツデータが再生されている状態から、音声のみのコンテンツデータにユーザが選択し直した場合にも同様に行うと良い。
［５］音声コンテンツデータが再生されている状態から、映像を含むコンテンツデータにユーザが選択し直した場合
制御部１２は、［１］と同様の処理を行う。特に、音声コンテンツデータが再生されている状態から、映像を含むコンテンツデータにユーザが選択し直した場合において、ＨＭＤ３０の表示器３２が退避状態である場合には、表示器３２を退避状態から観察可能状態になるようにＨＭＤ制御部３５に指示するとともに、表示器３２を退避状態から観察可能状態にすることをユーザに報知するメッセージを伝えると良い（自動の場合）。また、制御部１２は、ユーザに表示部１６又はヘッドホン３３Ｒ、３３Ｌを介して、表示器３２が観察可能状態になるようにＨＭＤ３０を操作するように、メッセージを伝える（手動の場合）。何れの場合も、このようなメッセージを伝えることにより、ユーザは、映像コンテンツデータが再生されることを予め認識した上でＨＭＤ３０の表示器３２を観察することができる。したがって、ユーザがＨＭＤ３０の表示器３２を観察状態にし忘れたり、急にＨＭＤ３０の表示器３２に対する映像コンテンツデータの再生が開始されてユーザが驚くといった不具合を回避することができる。【００６５】
なお、上記の［１］〜［５］の場合、ビデオ入力処理部１８および音声入力処理部１９への電源供給をＯＦＦするように制御することで、電力消費量が低減される。
なお、コンテンツデータの種類の判別については、本実施の形態では、コンテンツを格納する各ファイルの拡張子により識別している。
ところで、コンテンツデータを切り替えるか、再生自体を停止して再生が中断された所望のコンテンツデータにまだ未再生の画像情報が含まれる場合には、そのコンテンツデータの再生の再開に先行して、この画像情報を既定の時間巻き戻し、又は中断点を含むシーンの先頭（先行するフレームとの相関性に基づいて識別される。）まで巻き戻す処理を行うことが好ましい。なお、再生の中断から再開の間に経過した時間が長いほど長く設定され、あるいはその経過した時間に応じて異なる値に設定されても良い。一方、再生が中断された所望のコンテンツデータが音声情報のみから構成される場合には、そのコンテンツデータの再生の再開に先行してこの音声情報の巻き戻しを省略する。【００６６】
画像情報が中断されている場合には、ユーザは必ず中断した時点の印象を強く持っているわけではなく、中断時点から幾らか遡った時点で強く印象に残る映像を記憶するケースが多い。それゆえ、中断時点からすぐに再生再開を行っても、強く印象に残った映像から、中断時点までの映像を忘れている場合が多い。それゆえ、ある程度遡って再生開始を行うことで、忘却してしまった映像も記憶に呼び起こさせながら、スムーズに中断後の映像についても理解することができる。なお、中断時点から経過した時間が長いほど忘れる可能性が高いので、その時間をモニタして経過時間に応じて、遡って再生開始時間を決定することにより、よりスムーズに中断後の映像についても理解することができる。【００６７】
一方、音声、特に音楽については、ユーザは映像ほど意味合いを重要視する割合が低い。したがって、敢えて遡って再生開始時間を設定する意味合いが薄い場合が多いので、中断した時点から再生再開しても構わない。
［第二の実施形態］
次に、第二の実施形態について説明する。第二の実施形態では、第一の実施形態との相違点のみ説明する。第二の実施形態のシステムは、第一の実施形態と同様の電気的構成、各部の接続関係を有する。以下では、第一の実施形態と同様の符号を用いて説明する。【００６８】
本実施形態の特徴は、ターミナル１０がクレードル４０に接続されたときにターミナル１０において制御部１２および信号処理部１４が行う下記の処理にある。
本実施形態において、制御部１２は、接続検出部１１を介して、所定の頻度でクレードル４０に接続されたかどうかを検出する。接栓座４１Ｊには、図示されていないメカニカルスイッチが設けられる。そのため、接栓１０Ｐにクレードルの接栓座４１Ｊが接続されていれば、クレードル４０の制御部４６は、メカニカルスイッチがＯＮとなったことを検出し、Ｃioグループに対応するピンにクレードルであることを示す所定の信号または電圧を出力する。接続検出部１１は、この信号または電圧を検知し、機器の種類に応じた所定の信号を、制御部１２に送信する。制御部１２は、接続検出部１１から送信された信号により、クレードル４０が接続されたことが分かるようになっている。【００６９】
制御部１２は、ターミナル１０がクレードル４０に接続されたことを識別すると、ユーザが、クレードル４０への入力信号をターミナル１０の記憶部１５に記録するための操作を行ったものと認識する。そして、制御部１２は、録音モード、および録画モード又は録音・録画モードなどの記録モードに移行するようにターミナル１０を制御する。
具体的には、制御部１２は、ターミナル１０のクレードル４０への接続を検出すると、信号処理部１４を記録部１５へ記録可能な状態に制御し、同時にビデオ出力処理部２０、音声出力処理部２１の駆動又は電源供給をＯＦＦする。一方、制御部１２は、ビデオ入力処理部１８および音声入力処理部１９をＯＮにし、クレードルから入力されるビデオ信号および音声信号を入力可能な状態にする。【００７０】
なお、その際、制御部１２は、電源回路１７を制御し、ＨＭＤ３０への電源供給の停止を他の出力処理部への停止と同時に実行することで、電力消費の低減を図る。
そして、制御部１２は、ビデオ信号および音声信号が入力された適宜コンテンツデータによって適当なファイルフォーマットで記億部１５へ記録を開始する。
ところで、制御部１２は、クレードル４０へターミナル１０が接続されたことによって、記録モード（録音モード、録画モード、録音・録画モードなど）へ移行するように制御したが、これに限られず、ターミナル１０の操作部１３やリモコン５０の操作部５２から記録モードになるように操作を受けた場合にも同様な制御を行う。【００７１】
各操作部から記録モードになるような操作を受けた場合、被接続デバイスの使用状況を見て、受付可能かどうかの判断を経て、記録モードに移行することが好ましい。
例えば、ターミナル１０が音声コンテンツデータの再生状態にあって、かつヘッドホンが接続されている状態では、制御部１２は、映像信号を記録できる録画モードを実行可能とする。また、ターミナル１０が映像コンテンツデータの再生状態にあって、ヘッドマウントディスプレイが接続されている状態では、音声信号を記録できる録音モードのみ実行可能とする。しかし、ヘッドマウントディスプレイが接続されていても、ヘッドマウントディスプレイが退避状態（観察可能でない状態）となっている場合には、制御部１２は、直ちに、ターミナル１０による映像コンテンツデータ再生状態を停止して、録画モードを実行可能とするように制御しても良い。この場合は、「録音・録画モード」となっていても良い。【００７２】
ところで、記録モードに自動的に制御される形態は、上記形態以外にも適用可能である。例えば、コンテンツデータ再生状態に無い状態にあっても、同様に記録モードに移行できるようにしても良い。さらに、ヘッドマウントディスプレイ、ヘッドホン、ヘッドマウントディスプレイ・ヘッドホンなど、何れの被接続デバイスが接続されていない状態であっても移行できるようにしても良い。【００７３】
なお、上述のように記録モードになっている場合において、例えば映像信号が記録状態になっている場合には、ビデオ出力処理部２０の動作を停止するか、電源供給を停止する。また、音声信号が記録状態になっている場合には、音声出力処理部２１の動作を停止するか、電源供給を停止することが好ましい。さらに、映像信号が記録状態になっている場合には、制御部１２は、自動的にＨＭＤ３０のディスプレイアーム６４が退避状態になるようにＨＭＤ制御部３５を介して制御するのが好ましい。【００７４】
上述のような動作により、不必要な電力消費が低減され、かつディスプレイアーム６４が不必要に伸びていることによる破損を免れることができる。
なお、「録音モード」と「録画・録音モード」とにおいて記憶部１５にデータとして蓄積されるファイルの形式は、例えば、所定の拡張子で示されるＭＰ３形式とＭＰＥＧ２−ＡＡＣ（Advanced Audio Coding）形式とであることが望ましいが、既述のマンマシンインタフェースに基づいて別途設定され、あるいは選択されても良い。【００７５】
また、上述した各実施形態では、被接続デバイスおよびクレードル４０とターミナル１０との接続の検出と、その被接続デバイスの構成あるいは状態の検出とは、既述の第一ないし第四の二値情報の論理値に基づいて行われている。しかし、このような検出は、以下の何れに基づいて実現されても良い。また、被接続デバイスおよびクレードル４０とターミナル１０との如何なる機能分散の下で実現されても良い。
（１）ターミナル１０の接栓座１０Ｊの何れのピンを介して被接続デバイスに接続される布線の電位やインピーダンス。
（２）（１）で説明した布線を介して被接続デバイスから引き渡される情報。
（３）（１）で説明した布線を介して行われる被接続デバイスとの連係の手順。
（４）クレードル４０からビデオ入力処理部１８や音声入力処理部１９に入力される画像信号や音声信号の有無あるいはレベル。
（５）ターミナル１０の接栓１０Ｐの何れのピンを介してクレードル４０に接続される布線の電位やインピーダンス。
（６）（５）で説明した布線を介してクレードル４０から引き渡される情報。
（７）（５）で説明した布線を介して行われるクレードル４０との連係の手順。【００７６】
さらに、上述した各実施形態では、ターミナル１０には、１つの被接続デバイスが直接接続されている。しかし、このような被接続デバイスは、例えば、図１のほぼ右中央部に二点鎖線の枠で示されるリモコン５０を介して接続されても良い。また、ターミナル１０に直列に接続された複数の被接続デバイスであっても良い。また、これらの複数の被接続デバイスは、ターミナル１０に接栓座１０Ｊと共に備えられる１つ又は複数の接栓座を介して並列に接続されても良い。例えば、ヘッドマウントディスプレイ・ヘッドホン＞ヘッドマウントディスプレイ＞ヘッドホンの順に優先的に識別され、かつヘッドマウントディスプレイとヘッドホンとが互いに排他的になるような使用制限はされない。【００７７】
なお、上述したリモコン５０は、既述のＨＭＤ３０の操作部３４に相当する操作部５２と、ターミナル１０（接栓座１０Ｊ）に適合した接栓５１Ｐと、ＨＭＤ３０（接栓３１Ｐ）その他の被接続デバイスとの接続に適した接栓座５１Ｊとを備え、これらの操作部５２、接栓５１Ｐ、接栓座５１Ｊを介する中継を実現する布線を介して接続されることによって構成される。また、このようなリモコン５０には、既述のＨＭＤ３０の表示器３２に相当する表示器が併せて備えられても良い。さらに、上述した各実施形態は、何れも任意に組み合わせられ、あるいは単独で適用されても良い。【００７８】
また、上述した各実施形態では、制御部１２は、被接続デバイスから引き渡される既述の第一ないし第三の二値情報の論理値に基づいて識別される被接続デバイスの構成（種別）を勘案し、ユーザによって与えられた指示に基づいて実効デバイスを検出している。しかし、制御部１２は、このような実効デバイスを、ＨＭＤ３０において操作部３４を介して行われた操作の下でその操作部３４によって接続検出部１１に引き渡される既述の第一ないし第三の二値情報（これらの二値情報と共にターミナル１０に引き渡される所定の数の二値情報が含まれても良い。）の組み合わせとして、直接識別しても良い。【００７９】
また、上述の実施形態では、ＨＭＤ３０がターミナル１０と分離可能な構成を前提としているが、本発明はこの例に限定されない。他の例としては、ターミナル１０の各回路が、図２に示すＨＭＤ３０のケーブル接続部６３に格納され、ＨＭＤ３０とターミナル１０とが一体型になっているものであっても良い。この場合は、接栓座１０Ｊと接栓３１Ｐとが省略される構成になる。しかしながら、接栓１０ＰがＨＭＤ３０の外装部に設けられることになる。また、ターミナル１０に設けられた操作部１３は、ヘッドホンアーム６１やヘッドホン３３Ｌ、３３Ｒの外装部材、または収納ケース６５や表示器３２の外装部材に設けるようにしても良い。【００８０】
また、ターミナル１０がＨＭＤ３０と一体型である場合には、ターミナル１０への指示がＨＭＤ１０の操作と連動していても良い。例えば、接栓１０Ｐにコンテンツデータを再生する再生装置を接続した場合、先に述べたように、接栓１０ＰのＣioグループのピンから入力される信号または電圧により、接続された再生装置の種類を検出する。そして、再生装置が映像出力可能なものである場合、制御部１２は、表示器３２が観察可能状態であるか否かをＨＭＤ制御部３５からの信号を基に判断する。表示器３２が観察可能状態であれば、制御部１２は、接続された再生装置へ再生動作を開始するように指示できるようにしても良い。【００８１】
そして、一旦映像再生動作に入った後、ユーザが、表示器３２を観察可能状態から退避状態になるようにＨＭＤ１０を操作した場合には、制御部１２は、ＨＭＤ１０における表示器１３の退避状態から観察状態への変化を検出して、接続された再生装置へ再生動作を停止するように指示できるようにしても良い。
もちろん、映像出力可能な再生装置が接栓１０Ｐに接続された時点で、制御部１２がＨＭＤ制御部３５に表示器３２を観察可能状態にするように指令信号を送るようにしても良いし、表示器３２を観察可能状態にするように、音声出力処理部２１を介してユーザに対してメッセージを出力するようにしても良い。【００８２】
他の変形例としては、ターミナル１０が内部の記憶部１５に記憶されたコンテンツデータを再生するだけでなく、無線により受信されたデータを再生できるようにしても良い。この場合、信号処理部１４と制御部１２と接続検出部１１とのそれぞれに接続された無線通信部を設け、無線による接続が確保されたことを接続検出部１１により検出したら、無線通信部で受信されたデータを信号処理部１４に供給することで、無線により得られたデータを再生することが可能となる。なお、この場合、表示器３２が観察可能状態であるか否かに基づいて、無線通信部から得られたコンテンツデータを再生するか、記憶部１５に記憶されたコンテンツデータを再生するかを切り替えることができるようにしても良い。例えば、表示器３２が観察可能状態である場合には、記憶部１５に記憶された映像情報を含むコンテンツデータを再生し、退避状態である場合には、無線データで得られた音声情報を得るようにしても良い。なお、無線通信による安定性を確保するために、ヘッドホンアーム６１の中にアンテナ線を組み込んでおくことが好ましい。【００８３】
さらに、上述した各実施形態において、被接続デバイス（実効デバイス）に備えられた対応する回路に対する電力供給の有無などの制御を再生装置の制御部が行っても良い。
また、記録モードの際には、信号処理部１４は、クレードル４０に入力されている信号を検出して、その信号の適性に応じて、適当なファイルフォーマットで記録できるようにしても良い。【００８４】
また、本発明の実施形態の一例として、制御部１２で行っていた上述の機能をクレードル４０の制御入出力端子と接続されたパーソナルコンピュータで行っていても良い。その際には、上述の制御部１２で行っていたプログラムを使用するパーソナルコンピュータで操作できるソフトウェアをそのパーソナルコンピュータにインストールすることでも良い。なお、パーソナルコンピュータと接続する際はＵＳＢ（登録商標）やＦｉｒｅ  ｗｉｒｅ（登録商標）などのシリアルバスで接続するようにしても良い。その際、音楽データや映像データなどの同一端子からやり取りすることが可能となり、もちろんターミナル１０の制御も同一端子からやり取り可能である。【００８５】
また、本発明は、上述した実施形態に限定されるものではなく、本発明の範囲において多様な実施形態が可能であり、かつ構成装置の全て又は一部に如何なる改造が施されても良い。
【図１】
0005256738.tif 000002
【図２】
0005256738.tif 000003
【図３】
0005256738.tif 000004
【図４】
0005256738.tif 000005
【図５】
0005256738.tif 000006